(57)【要約】【課題】キャップのサイズを大きくすることなくチャイルドレジスタンス機能を持たせることができるキャップ付き容器を提供する。【解決手段】本発明のキャップ付き容器は、キャップ５が容器１に装着された状態において、ロック部材７を下方にスライドさせることによって係止爪７ｅは内側に撓んだ状態でスライド部材４に保持され、ねじ部２ｅと被ねじ部６ｂが緩む向きにキャップ本体６を回転させることによって天壁６ｄが頂壁７ｂに当接してロック部材７が引き上げられ、これに伴いスライド部材４も係止爪７ｅを内側に撓ませた状態で上昇する一方、スライド部材４の上昇が内向き突起３ｂによって停止すると係止爪７ｅはスライド部材４を残したまま引き上げられて内向き突起３ｂを乗り越えるよう構成される。【選択図】図１
2019059538.tif 000002
【特許請求の範囲】
【請求項１】
上方を開放した口部を有する容器と、該口部に装着されるキャップとを備えるキャップ付き容器であって、
前記容器は、前記口部の外周面に設けられるねじ部と、該口部の内周面に設けられる内向き突起と、該口部の内周面において該内向き突起に対して間隔をあけて設けられる抜け止め突起と、該内向き突起と該抜け止め突起との間でスライド可能に設けられるスライド部材とを備え、
前記キャップは、前記口部を取り囲む外周壁の内周面に前記ねじ部に適合する被ねじ部を有するとともに該外周壁の内側に設けられる天壁に貫通孔を有するキャップ本体と、該貫通孔に挿通されて該キャップ本体に対してスライド可能に設けられる基部、及び該天壁よりも上方において該基部に連結する頂壁、並びに該基部に対して撓み可能に設けられるとともに前記内向き突起に係合して抜け止めされる係止爪を有するロック部材とを備え、
前記キャップが前記容器に装着された状態において、前記ロック部材を下方にスライドさせることによって前記係止爪は内側に撓んだ状態で前記スライド部材に保持され、前記ねじ部と前記被ねじ部が緩む向きに前記キャップ本体を回転させることによって前記天壁が前記頂壁に当接して前記ロック部材が引き上げられ、これに伴い該スライド部材も該係止爪を内側に撓ませた状態で上昇する一方、該スライド部材の上昇が前記内向き突起によって停止すると該係止爪は該スライド部材を残したまま引き上げられて該内向き突起を乗り越えるよう構成したキャップ付き容器。
【請求項２】
前記スライド部材は、内側に撓んだ状態の前記係止爪に係合する第一凸部を有する請求項１に記載のキャップ付き容器。
【請求項３】
前記ロック部材は、該ロック部材を下方にスライドさせた際に、前記係止爪が内側に撓んだ状態で前記スライド部材に保持される位置で前記内向き突起に引っ掛かって該ロック部材の下降を停止させる第二凸部を有する請求項１又は２に記載のキャップ付き容器。
【請求項４】
前記キャップ本体は、前記ねじ部と前記被ねじ部が締まる向きに該キャップ本体を回転させた際に前記第二凸部に引っ掛かり、前記ロック部材を該キャップ本体とともに下方に移動させる第三凸部を有する請求項３に記載のキャップ付き容器。
【請求項５】
前記係止爪は、前記第二凸部が前記第三凸部に引っ掛かって前記ロック部材が前記キャップ本体とともに下方に移動する際に、前記内向き突起に対する該係止爪の乗り越えを誘導する傾斜部を有する請求項４に記載のキャップ付き容器。
【発明の詳細な説明】
【技術分野】
【０００１】
本発明はキャップ付き容器に関するものであり、特に幼児等が偶発的に開栓してしまうことを防止するチャイルドレジスタンス機能を有する容器に関する。
【背景技術】
【０００２】
従来、上方を開放した口部を有する容器と、この口部に装着されるキャップとを備えるキャップ付き容器にあっては、幼児等が偶発的にキャップを開栓してしまうことを防止するチャイルドレジスタンス機能をもたせたものがある。
【０００３】
例えば特許文献１には、容器に装着されるキャップとして、外蓋と内蓋とで構成され、内蓋は、容器の雄ねじ部に適合する雌ねじ部を有し、外蓋は、弾性片によって内蓋に対して上方に付勢され、付勢力に抗して外蓋を下方に押し下げることにより外蓋と内蓋とが一体的に回転するように構成したキャップ付き容器が開示されている。
【先行技術文献】
【特許文献】
【０００４】
【特許文献１】特開２０１６−２０４０２１号公報
【発明の概要】
【発明が解決しようとする課題】
【０００５】
ところでこの種のキャップ付き容器においては、特許文献１のように、外蓋と内蓋とを組み合わせた二重構造のキャップを使用することが一般的である。すなわち、二重構造によってキャップが大型になるため、従来使用していたキャップからチャイルドレジスタンス機能を持つキャップに置き換えようとしても、以前の外観イメージを大きく変えてしまうことになる。また、外蓋と内壁を小さくして従来使用していたキャップのサイズに近づけようとすると容器の口部を細くする必要があり、専用の容器を使用しなければならなくなるため、汎用性の点で問題がある。
【０００６】
本発明は、このような問題点を解決することを課題とするものであり、キャップのサイズを大きくすることなくチャイルドレジスタンス機能を持たせることができるキャップ付き容器を提供することを目的とする。
【課題を解決するための手段】
【０００７】
本発明は、上方を開放した口部を有する容器と、該口部に装着されるキャップとを備えるキャップ付き容器であって、
前記容器は、前記口部の外周面に設けられるねじ部と、該口部の内周面に設けられる内向き突起と、該口部の内周面において該内向き突起に対して間隔をあけて設けられる抜け止め突起と、該内向き突起と該抜け止め突起との間でスライド可能に設けられるスライド部材とを備え、
前記キャップは、前記口部を取り囲む外周壁の内周面に前記ねじ部に適合する被ねじ部を有するとともに該外周壁の内側に設けられる天壁に貫通孔を有するキャップ本体と、該貫通孔に挿通されて該キャップ本体に対してスライド可能に設けられる基部、及び該天壁よりも上方において該基部に連結する頂壁、並びに該基部に対して撓み可能に設けられるとともに前記内向き突起に係合して抜け止めされる係止爪を有するロック部材とを備え、
前記キャップが前記容器に装着された状態において、前記ロック部材を下方にスライドさせることによって前記係止爪は内側に撓んだ状態で前記スライド部材に保持され、前記ねじ部と前記被ねじ部が緩む向きに前記キャップ本体を回転させることによって前記天壁が前記頂壁に当接して前記ロック部材が引き上げられ、これに伴い該スライド部材も該係止爪を内側に撓ませた状態で上昇する一方、該スライド部材の上昇が前記内向き突起によって停止すると該係止爪は該スライド部材を残したまま引き上げられて該内向き突起を乗り越えるよう構成したキャップ付き容器である。
【０００８】
前記スライド部材は、内側に撓んだ状態の前記係止爪に係合する第一凸部を有することが好ましい。
【０００９】
前記ロック部材は、該ロック部材を下方にスライドさせた際に、前記係止爪が内側に撓んだ状態で前記スライド部材に保持される位置で前記内向き突起に引っ掛かって該ロック部材の下降を停止させる第二凸部を有することが好ましい。
【００１０】
前記キャップ本体は、前記ねじ部と前記被ねじ部が締まる向きに該キャップ本体を回転させた際に前記第二凸部に引っ掛かり、前記ロック部材を該キャップ本体とともに下方に移動させる第三凸部を有することが好ましい。
【００１１】
前記係止爪は、前記第二凸部が前記第三凸部に引っ掛かって前記ロック部材が前記キャップ本体とともに下方に移動する際に、前記内向き突起に対する該係止爪の乗り越えを誘導する傾斜部を有することが好ましい。
【発明の効果】
【００１２】
本発明におけるキャップは、外周壁の内側に設けられる天壁に貫通孔を有するキャップ本体と、貫通孔に挿通されてキャップ本体に対してスライド可能に設けられる基部を有するロック部材とで構成していて、従来のように外蓋と内蓋とを組み合わせた二重構造となるものではないため、キャップの大型化を招くことがない。また、容器に装着されたキャップをそのまま回転させたとしても、ロック部材の係止爪が容器の内向き突起に係合して抜け止め保持されているため、キャップ本体が外れることがない。なお、キャップを取り外すにあたっては、まずロック部材を下方にスライドさせればよく、これにより、内向き突起に係合していた係止爪は内側に撓んだ状態でスライド部材に保持されるため、キャップ本体を緩み方向に回転させてロック部材が引き上げられると、スライド部材も係止爪を内側に撓ませた状態で上昇する一方、スライド部材の上昇が内向き突起によって停止すると、係止爪はスライド部材を残したまま引き上げられて内向き突起を乗り越えることになる。すなわち、係止爪と内向き突起の係合が解けるため、容器からキャップを取り外すことができる。
【図面の簡単な説明】
【００１３】
【図１】本発明に従うキャップ付き容器の一実施形態を示す、側面視での半断面図である。
【図２】（ａ）は図１に示すＡ−Ａに沿う断面図であって、（ｂ）は図１に示すＢ−Ｂに沿う断面図である。
【図３】キャップを容器に取り付けるにあたって、キャップ本体を締まる向きに回転させた状態を示す図である。
【図４】キャップを容器から取り外すにあたって、ロック部材を押し込んで下方にスライドさせた状態を示す図である。
【図５】図４の状態からキャップ本体を緩み方向に回転させた状態を示す図である。
【図６】図５の状態から更にキャップ本体を回転させて、内側に撓んだ状態でスライド部材に保持されていた係止爪が第一凸部を乗り越えようとする状態を示す図である。
【図７】係止爪が内向き突起を乗り越えてキャップが容器から取り外された状態を示す図である。
【図８】チャイルドレジスタンス機能が発揮されてキャップの取り外しが阻止された状態を示す図である。
【発明を実施するための形態】
【００１４】
以下、図面を参照しながら本発明に従うキャップ付き容器の一実施形態について説明する。なお、本明細書等における「上」、「下」の関係は、容器を水平面に載置した状態での向きをいう。
【００１５】
図１に示すように本実施形態のキャップ付き容器は、容器１と、キャップ５とを備えている。本実施形態の容器１は、容器本体２、中栓３、及びスライド部材４で構成されている。またキャップ５は、キャップ本体６とロック部材７で構成されている。
【００１６】
図１に示すように容器本体２は、円板状をなす底部２ａと、底部２ａの外縁部に一体に連結する円筒状の胴部２ｂと、胴部２ｂの上端部から径方向内側に向けて傾斜しながら延在する肩部２ｃと、肩部２ｃに一体に連結するとともに上方を開放した円筒状の口頸部２ｄとを備えている。また口頸部２ｄの外周面には、雄ねじとして形成されたねじ部２ｅが設けられている。
【００１７】
中栓３は、口頸部２ｄの内側に設けられるものであって、口頸部２ｄの内周面に沿って延在する円筒状の筒壁３ａと、筒壁３ａから径方向内側に向けて突出する内向き突起３ｂとを備えている。また筒壁３ａと内向き突起３ｂとの連結部には、下方に向かって延在するとともに下端部が径方向内側に向かって突出する爪状の抜け止め突起３ｃが、周方向に間隔をあけて設けられている。本実施形態の抜け止め突起３ｃは、図２（ｂ）に示すように周方向に対して等間隔で合計４つ設けられている。また筒壁３ａの上端部には、径方向外側に向かって延在するフランジ部３ｄが設けられている。
【００１８】
スライド部材４は、概略、円環状をなすものである。スライド部材４の内周面における上端部には、径方向内側に向けて突出する凸部（第一凸部）４ａが設けられている。またスライド部材４の外周面において、その上端部には、上方に向かうにつれて内側に傾く外側傾斜部４ｂが設けられ、その下端部には、図２（ｂ）に示すように、隣り合う抜け止め突起３ｃの間に位置し、径方向外側に向けて突出する突起４ｃが設けられている。
【００１９】
このような容器本体２、中栓３、及びスライド部材４は、中栓３の下方からスライド部材４を押圧してこれらを嵌め合わせ、更にこれらを口頸部２ｄの上方から挿入することによって容器１として組み立てられる。ここで、中栓３にスライド部材４を嵌め合わせる際、抜け止め突起３ｃは、外側傾斜部４ｂによって径方向外側に向けて撓むように誘導されるため、組み立て作業を円滑に行うことができる。またスライド部材４は、隣り合う抜け止め突起３ｃの間に突起４ｃが位置することによって回り止めされていて、且つ内向き突起３ｂと抜け止め突起３ｃとの間でスライド可能に保持されている。なお本実施形態では、容器本体２と中栓３とを別異の部材としているが、これらを一つの部材で構成してもよい。また本明細書等において、容器１の口部とは、組み合わせた口頸部２ｄと中栓３とを示すものとする。
【００２０】
キャップ本体６は、口頸部２ｄを取り囲む円筒状の外周壁６ａを備えている。外周壁６ａの内周面には、雌ねじとして形成された被ねじ部６ｂが設けられている。また外周壁６ａの内側には、外周壁６ａの上端部から径方向内側に向けて延在する内向きフランジ６ｃと、内向きフランジ６ｃの内縁部から下方に向けて延在した後、径方向内側に向けて延在する天壁６ｄと、天壁６ｄの下面から下方に向けて延在する環状壁６ｅが設けられている。ここで、天壁６ｄの中央部には、天壁６ｄを上下方向に貫く貫通孔６ｆが設けられている。また天壁６ｄは、環状壁６ｅとの連結部から径方向内側に向けて突出する凸部（第三凸部）６ｇを備えている。そして内向きフランジ６ｃの内縁部には、径方向内側に向けて突出する凸部（第四凸部）６ｈが設けられている。
【００２１】
ロック部材７は、貫通孔６ｆに挿通される円筒状の基部７ａを備えている。基部７ａの上端部には、円板状の頂壁７ｂが設けられている。また基部７ａの外周面には、径方向外側に向けて突出する凸部（第二凸部）７ｃが設けられている。本実施形態における第二凸部７ｃは、図２（ａ）に示すように、周方向に等間隔で合計４つ設けられている。そして基部７ａの下端部には、薄肉部７ｄを介して基部７ａに一体に連結するとともに径方向外側に突出する係止爪７ｅが設けられている。このような薄肉部７ｄによって係止爪７ｅは、基部７ａに対して径方向内外方向に撓むことができる。本実施形態の係止爪７ｅは、図２（ｂ）に示すように、周方向に等間隔で合計４つ設けられている。また係止爪７ｅの下面には、下方に向かうにつれて内側に傾く傾斜部７ｆが設けられている。
【００２２】
このようなキャップ本体６及びロック部材７は、貫通孔６ｆに対して上方から係止爪７ｅを挿入し、第二凸部７ｃが第三凸部６ｇを乗り越えるまでロック部材７を押し込むことでキャップ５として組み立てられる。なお、内向きフランジ６ｃの内縁部には第四凸部６ｈが設けられていて、第四凸部６ｈは頂壁７ｂを軽嵌合させることができるため、キャップ本体６は、内向きフランジ６ｃと頂壁７ｂが揃った状態でロック部材７を保持することができる。
【００２３】
そして、上述した容器１にキャップ５を装着するにあたっては、図３に示すように、キャップ５を容器１に被せて、ねじ部２ｅと被ねじ部６ｂが締まる向きにキャップ本体６を回転させる。これによりキャップ本体６は下方に移動する。このとき第二凸部７ｃは、第三凸部６ｇによって下方に押し込まれるため、キャップ本体６とともにロック部材７も下方に移動する。ここで、係止爪７ｅの下面には傾斜部７ｆが設けられていて、係止爪７ｅが内向き突起３ｂに当接すると、係止爪７ｅは傾斜部７ｆによって誘導されて内側に撓むため、係止爪７ｅは内向き突起３ｂを容易に乗り越えることができる。よって、図１に示すように最後までキャップ本体６を回転させることができるため、容器１を確実に閉栓することができる。
【００２４】
また、容器１からキャップ５を取り外すにあたっては、図４に示すようにロック部材７を下方に押し込んで、キャップ本体６に対してロック部材７を下方にスライドさせる。これにより係止爪７ｅは、スライド部材４の第一凸部４ａを乗り越えて、内側に撓んだ状態でスライド部材４に保持される。なお、ロック部材７をスライドさせた際、第二凸部７ｃは内向き突起３ｂに引っ掛かるため、下方にスライドするロック部材７を所定の位置で停止させることができる。
【００２５】
そして、図５に示すようにねじ部２ｅと被ねじ部６ｂが緩む向きにキャップ本体６を回転させると、容器本体２に対してキャップ本体６が上昇し、天壁６ｄが頂壁７ｂに当接してキャップ本体６とともにロック部材７が引き上げられる。これに伴い、係止爪７ｅを内側に撓んだ状態で保持するスライド部材４も引き上げられることになる。なお、係止爪７ｅは第一凸部４ａに係合しているため、スライド部材４を確実に引き上げることができる。
【００２６】
そしてキャップ本体６の回転を継続すると、図６に示すようにスライド部材４は内向き突起３ｂによって上昇が妨げられるため、スライド部材４を残したまま更にロック部材７が上昇する。これにより係止爪７ｅは、第一凸部４ａを乗り越えて更に内向き突起３ｂも乗り越えるため、図７に示すように、キャップ５を容器１から取り外すことができる。
【００２７】
ところで、このようにロック部材７を押し込んでキャップ本体６を回転させると、容器１からキャップ５を取り外すことができる一方、図８に示すようにロック部材７は押し込まずにキャップ本体６のみを緩み方向に回転させても、係止爪７ｅが内向き突起３ｂに係合しているため、ロック部材７は容器１に保持されたままになる。このため、ねじ部２ｅと被ねじ部６ｂとの係合が解けても、キャップ本体６は、天壁６ｄが頂壁７ｂに引っ掛かって空回りするだけなので、容器１から外れることはない。すなわち、幼児等よって容器１が偶発的に開栓される不具合を防止することができる。
【００２８】
このように本実施形態のキャップ付き容器によれば、ロック部材７を押してからキャップ本体６を回転しなければ、これを取り外すことはできないため、幼児等はもとより、開け方を知らない者による不正な開栓も防止することができる。また、例えば部材間の隙間を調整することによってロック部材７を強めに保持し、幼児等の力ではロック部材７が簡単に押し込まれないようにしておけば、更に確実にチャイルドレジスタンス機能を発揮させることが可能である。
【００２９】
なお、本発明に従うキャップ付き容器は、これまでに説明した実施形態に限られるものではなく、特許請求の範囲に従う範疇で種々の変更を加えたものも含まれる。例えばロック部材７の係止爪７ｅは、局所的に肉厚を薄くした薄肉部７ｄによって撓むようになっているが、係止爪７ｅの厚みを全体的に薄くして撓むように構成してもよい。
【符号の説明】
【００３０】
１：容器
２：容器本体
２ａ：底部
２ｂ：胴部
２ｃ：肩部
２ｄ：口頸部（容器の口部）
２ｅ：ねじ部
３：中栓（容器の口部）
３ａ：筒壁
３ｂ：内向き突起
３ｃ：抜け止め突起
３ｄ：フランジ部
４：スライド部材
４ａ：第一凸部
４ｂ：外側傾斜部
４ｃ：突起
５：キャップ
６：キャップ本体
６ａ：外周壁
６ｂ：被ねじ部
６ｃ：内向きフランジ
６ｄ：天壁
６ｅ：環状壁
６ｆ：貫通孔
６ｇ：第三凸部
６ｈ：第四凸部
７：ロック部材
７ａ：基部
７ｂ：頂壁
７ｃ：第二凸部
７ｄ：薄肉部
７ｅ：係止爪
７ｆ：傾斜部
【図１】
2019059538.tif 000003
【図２】
2019059538.tif 000004
【図３】
2019059538.tif 000005
【図４】
2019059538.tif 000006
【図５】
2019059538.tif 000007
【図６】
2019059538.tif 000008
【図７】
2019059538.tif 000009
【図８】
2019059538.tif 000010